(57)【要約】【課題】電子機器に内蔵された回路基板が取り外されて再度取り付けられたときに、所定の機能を制限することで、不正な回路基板による不正な動作を実行する危険性を低減させる。【解決手段】回路基板（１０）は、取り付け板金（２０）に固定する導電性のネジ（１ａ）を取り付ける正規ネジ接触部（３ａ）と、ネジ（１ａ）が取り付け可能に形成されたダミーネジ接触部（６ａ、６ｂ）と、信号線（１３）と、電圧源（１１）と、プルアップ抵抗（１２）と、制御部（ＣＰＵ１４）とを備える。ＣＰＵ（１４）は、ダミーネジ接触部（６ａ、６ｂ）にネジ（１ａ）が取り付けられていないときの電圧源（１１）の電位と、ダミーネジ接触部（６ａ、６ｂ）にネジ（１ａ）が取り付けられているときの取り付け板金（２０）による電位とを検出し、取り付け板金（２０）の電位が検出されたときに、電子機器の所定の機能を制限する制御を行う。【選択図】図２
2015143917.tif 000002
【特許請求の範囲】
【請求項１】
電子回路を備えた回路基板と、該回路基板を取り付ける金属製の取り付け部材とを有し、
前記回路基板は、該回路基板と前記取り付け部材とを固定する導電性のネジを取り付けるための正規ネジ取り付け部と、該正規ネジ取り付け部から取り外された前記ネジによって、前記回路基板を前記取り付け部材に取り付け可能に形成されたダミーネジ取り付け部と、該ダミーネジ取り付け部に取り付けられたネジに電気的に接続される信号線と、前記回路基板に電力を供給する電圧源と前記信号線との間に接続されるプルアップ抵抗と、前記信号線に接続された制御部とを有し、
該制御部は、前記プルアップ抵抗の作用により切り替えられる電位であって、前記ダミーネジ取り付け部に前記ネジを取り付けられていないときの前記電圧源の電位と、前記ダミーネジ取り付け部に前記ネジが取り付けられているときの前記取り付け部材による電位とを検出し、該取り付け部材による電位が検出されたときに、前記電子機器の所定の機能を制限する制御を行うこと、を特徴とする電子機器。
【請求項２】
請求項１に記載の電子機器において、
前記回路基板は、前記正規ネジ取り付け部に取り付けられたネジが前記回路基板のグランドラインに電気的に接続されることを特徴とする電子機器。
【請求項３】
請求項１または２に記載の電子機器において、
前記ダミーネジ取り付け部には、絶縁性のネジが取り付けられていること、を特徴とする電子機器。
【発明の詳細な説明】
【技術分野】
【０００１】
本発明は、電子機器、より詳細には、電子回路を配置した回路基板を取り付け板金等に取り付ける構造を備えた電子機器に関する。
【背景技術】
【０００２】
各種の電子機器では、電子機器の機能を実現するために電子回路を備えた回路基板が内蔵された構成を備えている。
このような電子機器に対して、不正な改造等を行う悪意のユーザによって当該電子機器の回路基板が取り外され、改造等が行われて再度電子機器に組み込まれたり、あるいは偽造された回路基板が新たに取り付けられたりすることがある。
【０００３】
このような場合に、電子機器が備える回路基板が改造されたり、偽造回路基板が取り付けられる不正な作業が行われると、電子機器が誤作動する恐れが生じ、あるいは安全性が低下したり、電子機器に接続される他の機器に悪影響を及ぼす可能性が生じる。
【０００４】
回路基板の不正な改造を防止するための技術に関して、例えば特許文献１には、偽造された回路基板や不正な改造が行われた回路基板が接続された場合には、その回路基板を使用できなくなるようにした電子機器が開示されている。この電子機器は、回路基板等のオプション装置の増設があった場合、そのオプション装置のハードウェア構成情報およびソフトウェア情報からなる装置情報を取得し、取得した装置情報が、本体装置に保存されている正規品の装置情報と一致すれば正規品であると確認し、確認できなかった場合には接続を拒否する。これにより、正規品とは装置情報が異なるオプション装置を使用できないようにしている。
【先行技術文献】
【特許文献】
【０００５】
【特許文献１】特開２００７−３０７８１３号公報
【発明の概要】
【発明が解決しようとする課題】
【０００６】
上記特許文献１の電子機器では、本体装置は、回路基板などのオプション装置が増設されているときに、そのオプション装置の装置情報を取得して、その取得した装置情報に基づき正規品のオプション装置であるか否かを判断する必要がある。
このため本体装置には、正規品データベースを作成する必要があり、本体装置は、オプション装置からそのハードウェア情報とソフトウェア情報とからなる装置情報を、オプション装置によって暗号化された状態で取得し、これを復号してデータベースの情報と比較し、正規品であるか否かを判断する必要がある。このような構成は、正規品か否かを判断するために、オプション装置と本体装置とで情報処理が必要となり、その構成が複雑になる。
【０００７】
本発明は、上述した課題を鑑みてなされたものであり、電子機器に内蔵された回路基板が取り外され、再度回路基板が取り付けられたときに、回路基板の取り付け方式が異なっていることを簡易な構成で検出して所定の機能を制限することで、不正な回路基板による不正な動作を実行する危険性を低減させた電子機器を提供することを目的とする。
【課題を解決するための手段】
【０００８】
上記課題を解決するために、本発明の第１の技術手段は、電子回路を備えた回路基板と、該回路基板を取り付ける金属製の取り付け部材とを有し、前記回路基板は、該回路基板と前記取り付け部材とを固定する導電性のネジを取り付けるための正規ネジ取り付け部と、該正規ネジ取り付け部から取り外された前記ネジによって、前記回路基板を前記取り付け部材に取り付け可能に形成されたダミーネジ取り付け部と、該ダミーネジ取り付け部に取り付けられたネジに電気的に接続される信号線と、前記回路基板に電力を供給する電圧源と前記信号線との間に接続されるプルアップ抵抗と、前記信号線に接続された制御部とを有し、該制御部は、前記プルアップ抵抗の作用により切り替えられる電位であって、前記ダミーネジ取り付け部に前記ネジを取り付けられていないときの前記電圧源の電位と、前記ダミーネジ取り付け部に前記ネジが取り付けられているときの前記取り付け部材による電位とを検出し、該取り付け部材による電位が検出されたときに、前記電子機器の所定の機能を制限する制御を行うこと、を特徴としたものである。
【０００９】
第２の技術手段は、第１の技術手段において、前記回路基板は、前記正規ネジ取り付け部に取り付けられたネジが前記回路基板のグランドラインに電気的に接続されることを特徴としたものである。
【００１０】
第３の技術手段は、第１または第２の技術手段において、前記ダミーネジ取り付け部には、絶縁性のネジが取り付けられていること、を特徴としたものである。
【発明の効果】
【００１１】
本発明によれば、電子機器に内蔵された回路基板が取り外され、再度回路基板が取り付けられたときに、回路基板の取り付け方式が異なっていることを簡易な構成で検出して所定の機能を制限することで、不正な回路基板による不正な動作を実行する危険性を低減させた電子機器を提供することができる。
【図面の簡単な説明】
【００１２】
【図１】本発明による電子機器に装着する回路基板とその取り付け板金の構成例を説明するための図である。
【図２】電子機器の回路基板の取り付け構成を判定するための回路部の構成例を説明するための図である。
【図３】本発明による電子機器に装着する回路基板とその取り付け板金の他の構成例を説明するための図である。
【発明を実施するための形態】
【００１３】
（実施形態１）
図１は、本発明による電子機器に装着する回路基板とその取り付け板金の構成例を説明するための図である。
本発明の実施形態に係る電子機器１００は、電子機器１００の機能を実現するための電子回路を備えた回路基板１０が内蔵される。回路基板１０は、例えば集積回路、抵抗器、コンデンサー等の多数の電子部品を表面に固定し、その部品間を配線で接続することで電子回路を構成する板状またはフィルム状の部品である。電子機器１００は、必要な機能に応じて複数の回路基板を取り付けることができるが、ここでは説明のため一つの回路基板１０を示している。この回路基板１０は、電子機器１００が備える取り付け板金２０に取り付けられる。取り付け板金２０は、本発明の金属製の取り付け部材に相当するものである。
【００１４】
本発明に係る実施形態では、回路基板１０をネジ１ａ〜１ｄで取り付け板金２０に固定させる。回路基板１０には、正規のネジ固定位置に、導電性のネジ１ａ〜１ｄをそれぞれ通すための貫通孔である正規ネジ通し穴２ａ〜２ｄを設ける。正規ネジ通し穴２ａ〜２ｄの貫通孔の周囲部には、ネジ１ａ〜１ｄがそれぞれ接触する正規ネジ接触部３ａ〜３ｄが設けられる。正規ネジ通し穴２ａ〜２ｄと、その周囲部に設けられた正規ネジ接触部３ａ〜３ｄのそれぞれの組を、正規ネジ取り付け部４ａ〜４ｄとする。
【００１５】
また、取り付け板金２０には、回路基板１０を取り付けたときに、正規ネジ通し穴２ａ〜２ｄに挿入された各ネジ１ａ〜１ｄを固定するための正規ネジ穴８ａ〜８ｄが設けられている。ここでは、４本のネジ１ａ〜１ｄにより回路基板１０を取り付ける構造としたが、回路基板１０を取り付け板金２０に取り付けるためのネジの数はこれに限ることはなく適宜設定できる。
【００１６】
そして本発明に係る実施形態の特徴として、回路基板１０と取り付け板金２０に対して正規の位置ではないダミーの位置に、ネジを取り付け可能に形成された通し穴とネジ穴をそれぞれ設ける。図１の例では、回路基板１０には、正規ネジ取り付け部４ａ、４ｂの近傍に、それぞれダミーネジ通し穴５ａ、５ｂと、その周囲にそれぞれダミーネジ接触部６ａ、６ｂとが設けられる。ダミーネジ通し穴５ａ、５ｂと、その周囲部に設けられたダミーネジ接触部６ａ、６ｂのそれぞれの組を、ダミーネジ取り付け部７ａ、７ｂとする。
また、取り付け板金２０には、ダミーネジ通し穴５ａ、５ｂに対応する位置にそれぞれダミーネジ穴９ａ、９ｂが設けられている。
【００１７】
これにより、正規ネジ通し穴２ａ〜２ｄから取り外したネジ１ａ〜１ｄを使用して、ダミーネジ通し穴５ａ、５ｂとダミーネジ穴９ａ、９ｂとによって、回路基板１０を取り付け板金２０に取り付けることができる。
ダミー位置に設けられたダミーネジ取り付け部７ａ、７ｂおよびダミーネジ穴９ａ、９ｂは、正規ネジ取り付け部４ａ〜４ｄおよび正規ネジ穴８ａ〜８ｄと外観上同様の形態で形成されているため、取り付け板金２０から回路基板１０取り外した後、再度、回路基板１０を取り付け板金２０に取り付けようとする際に、ダミー位置のダミーネジ取り付け部７ａ、７ｂにネジ１ａ〜１ｄを固定してしまう可能性が生じる。
【００１８】
そしてこのダミーネジ取り付け部７ａ、７ｂの少なくとも一方にネジ１ａ〜１ｄが取り付けられたときに、この状態を簡単な構成で検出する回路を設ける。これにより、回路基板１０が一旦取り付け板金２０から取り外され、例えば不正な改造等が行われた後、再度取り付け板金２０に取り付けられた場合や、回路基板１０を取り外した後に、偽造した回路基板が取り付けられた場合に、ダミー位置にネジが取り付けられていれば、これを検出して不正な作業が行われたことを検知することができる。
【００１９】
そして不正な作業が行われた場合には、その電子機器の特定の機能について実行できないように制限することができる。機能の制限としては、その回路基板により実行される機能や、別の回路基板で実行される機能を制限することができ、この他、不正な作業に対して適宜制限する機能を定めることができる。例えば、回路基板で特定の機能を実行するソフトウェアを動作させるＯＳ（Operating System）を起動できないようにしたり、その回路基板の特定の機能を実行するＣＰＵ（Central Processing Unit）をリセット状態に維持する、等の機能制限を定めることができる。
【００２０】
図２は、電子機器の回路基板の取り付け構成を判定するための回路部の構成例を説明するための図である。上述したように電子機器１００は、回路基板１０と、回路基板１０を取り付けるための取り付け板金２０とを備えている。
回路基板１０には、電圧源１１、電圧源１１からの電源供給を受けるプルアップ抵抗１２、プルアップ抵抗１２に接続される信号線１３、信号線１３によりプルアップ抵抗１２に対して並列に接続される２つのダミーネジ接触部６ａ、６ｂが設けられる。また、回路基板１０には、正規ネジ接触部３ａが設けられる。図１の構成に従えば、回路基板１０には、４か所の正規ネジ接触部３ａ〜３ｄが設けられているが、図２では図示を省略している。
【００２１】
取り付け板金２０には、ネジ１ａを取り付けるための正規ネジ穴８ａが設けられる。正規ネジ穴８ａについても、図１の構成に従えば、取り付け板金２０には、４か所の正規ネジ穴８ａ〜８ｄが設けられるが、図２では図示を省略している。
また、取り付け板金２０には、ダミーネジ接触部６ａ、６ｂに取り付けられたネジが羅合する位置に、それぞれダミーネジ穴９ａ、９ｂが設けられる。
【００２２】
正規ネジ接触部３ａ〜３ｄは、回路基板１０のグランドラインに接続され、導電性のネジ１ａ〜１ｄを介して取り付け板金２０に接続される。これによりネジ１ａ〜１ｄを取り付けた状態では、回路基板１０のグランドラインは取り付け板金２０に対して接地されて取り付け板金２０の基準電位が与えられ、電子回路を安定して動作させる。
ネジ１ａ〜１ｄを回路基板１０のグランドラインに接続させる構成は必須ではなく、ネジ１ａを介してグランドラインを取り付け板金２０に接続させる構成を採らない場合、回路基板１０のグランドラインは、別の経路で取り付け板金２０に導通されていることが好ましい。
【００２３】
電圧源１１は回路基板に電力を供給する。電圧源１１には、例えば回路基板１０の外部から供給された５Ｖ程度のＤＣ電源を用いることができる。電圧源１１にはこの５Ｖの電源をそのまま使用してもよく、あるいは例えば３．３Ｖ程度に電圧変換して用いることができる。電圧源１１の電圧レベルが電子回路に印加される“Ｈｉ”の電圧となる。
信号線１３は、ダミーネジ取り付け部７ａ、７ｂのいずれにもネジ１ａ〜１ｄが取り付けられていない場合、取り付け板金２０からは浮いた状態となっている。この場合、プルアップ抵抗１２が接続されている信号線１３は、プルアップ抵抗１２に接続されている電圧源１１の電位、つまり“Ｈｉ”になる。
【００２４】
一方、ダミーネジ取り付け部７ａ、７ｂのいずれか一つ、もしくは両方にネジ１ａが取り付けられている場合、信号線１３は、基準電位を与える取り付け板金２０に導通しているため、“Ｌｏｗ”になる。
すなわち、ダミーネジ取り付け部７ａ、７ｂのいずれかにネジ１ａ〜１ｄが取り付けられているときといないときとで、プルアップ抵抗１２に接続された信号線１３の電位が“Ｈｉ”と“Ｌｏｗ”に切り替えられる。
【００２５】
信号線１３は、ＣＰＵ１４に接続され、ＣＰＵ１４は、プルアップ抵抗１２に接続される信号線１３の電位を検出し、ダミーネジ取り付け部７ａ、７ｂのいずれかまたは両方にネジ１ａ〜１ｄが取り付けられているか否かを判定する。ＣＰＵ１４は、本発明の制御部に相当する制御プロセッサであり、信号線１３の電位が“Ｌｏｗ”であることを検知し、ダミーネジ取り付け部７ａ、７ｂのいずれかまたは両方にネジ１ａ〜１ｄが取り付けられていると判断した場合、特定の機能について制限する。
【００２６】
例えば、その回路基板により実行される機能や、別の回路基板で実行される機能を制限することができ、この他、適宜制限する機能を定めることができる。
この場合、ＣＰＵ１４は、信号線１３の電位が“Ｌｏｗ”になったことを示す情報を電子機器の他の制御プロセッサに伝えて、その制御プロセッサが所定の機能を制限するものであってもよい。この場合、機能を制限する制御を実行する制御プロセッサが本発明の制御部に相当する。
【００２７】
上記の構成により、電子機器１００に内蔵された回路基板１０が取り外され、再度回路基板が取り付けられたときに、回路基板の取り付け方式が異なっていることを簡易な構成で検出することができる。そしてこのときに所定の機能を制限することで、不正な回路基板による不正な動作を実行する危険性を低減させることができる。
【００２８】
（実施形態２）
上記の実施形態１では、通常の状態では、回路基板１０の正規ネジ取り付け部４ａ〜４ｄに対してネジ１ａ〜１ｄを取り付けて取り付け板金２０に固定し、ダミーネジ取り付け部７ａ、７ｂには何らネジ等の固定部材を設けることなく構成したが、本実施形態では、正常な状態では、ダミーネジ取り付け部７ａ、７ｂに対して、電気絶縁性のダミーネジを取り付けておく。
電気絶縁性のダミーネジは、正規の導電性のネジと同様の形状で、同様の外観とすることが好ましい。絶縁性ネジの材料としては、例えばセラミックや樹脂材料を選択して用いることができる。
【００２９】
図３は、図１と同様の構成でダミーネジを使用した例を説明する図である。この場合、正常な取り付け状態では、回路基板１０の正規ネジ通し穴２ａ〜２ｄには、それぞれ正規のネジ１ａ〜１ｄが挿入され、取り付け板金２０の正規ネジ穴８ａ〜８ｄにそれぞれ固定される。これにより回路基板１０は取り付け板金２０に取り付けられる。そしてさらに回路基板１０のダミーネジ通し穴５ａ、５ｂには、それぞれ絶縁性のダミーネジ１５ａ、１５ｂが挿入され、取り付け板金２０のダミーネジ穴９ａ、９ｂに固定される。
【００３０】
回路基板の改造や偽造回路基板を取り付けようとするユーザが、正規のネジ１ａ〜１ｄとダミーネジ１５ａ、１５ｂとを取り外し、回路基板１０に改造を加えたり偽造回路基板により動作させようとする場合、改造された回路基板や偽造回路基板を取り付け板金２０に取り付けるときに、正規のネジ１ａ〜１ｄとダミーネジ１５ａ、１５ｂとの固定場所を一か所でも間違えると、ダミーネジ通し穴５ａ、５ｂの少なくともいずれかに正規の導電性のネジ１ａ〜１ｄが挿入され、取り付け板金２０のダミーネジ穴９ａ、９ｂに固定されて導通する。この結果、信号線１３の電位が“Ｌｏｗ”になり、ＣＰＵ１４がこれを検知して、不正な回路基板が取り付けられたものと判断し、特定の機能について制限することができる。ダミーネジ１５ａ、１５ｂを使用することにより、回路基板を分解後に再度組み立てるときに、ネジの混同が生じやすくなり、分解後の不正な動作を回避する可能性を高めることができる。
【符号の説明】
【００３１】
１ａ〜１ｄ…ネジ、２ａ〜２ｄ…正規ネジ通し穴、３ａ〜３ｄ…正規ネジ接触部、４ａ〜４ｄ…正規ネジ取り付け部、５ａ〜５ｄ…ダミーネジ通し穴、６ａ〜６ｂ…ダミーネジ接触部、７ａ〜７ｂ…ダミーネジ取り付け部、８ａ〜８ｂ…正規ネジ穴、９ａ〜９ｂ…ダミーネジ穴、１０…回路基板、１１…電圧源、１２…プルアップ抵抗、１３…信号線、１４…ＣＰＵ、１５ａ〜１５ｂ…ダミーネジ、２０…取り付け板金、１００…電子機器。
【図１】
2015143917.tif 000003
【図２】
2015143917.tif 000004
【図３】
2015143917.tif 000005